(57)【特許請求の範囲】
【請求項１】
薬液を充填した注射器を袋に密封してなる袋入り注射器を収納するための収納箱であって、角筒状の胴部の一端に底部を有する細長形状をしており、注射器の先端からフランジに至る長さを距離αとした時に、底部から距離αよりも遠いところに、胴部を周回する状態でＶ字状に凹んで内側に突き出すことにより注射器のフランジを通さない係止部を形成するための屈曲部を有していることを特徴とする収納箱。
【請求項２】
請求項１に記載の収納箱において、胴部における底部と反対側に蓋部を設けたことを特徴とする収納箱。
【発明の詳細な説明】
【技術分野】
【０００１】
本発明は、収納した内容物を安全に保持できる収納箱、特に、予め薬液を充填した使い捨ての注射器を収納するために好適に用いられる収納箱に関するものである。
【背景技術】
【０００２】
従来より、予め薬液を充填した使い捨ての注射器（シリンジ）が利用されている。この注射器はプレフィルドシリンジと呼ばれており、これを製造場所から医療現場に運ぶに際しては、樹脂製の袋に入れた袋入り注射器を角筒状の箱に収納したり、あるいは、底部に緩衝機能を設けた収納箱に注射器を収納したりすることが行われている。
【特許文献１】特開２００３−４０２５３号公報
【発明の開示】
【発明が解決しようとする課題】
【０００３】
従来の技術で述べたもののうち、樹脂製の袋に入れた袋入り注射器を角筒状の箱に入れる形態では、搬送中や取扱い中に落下するなどして衝撃が加わると、その衝撃で注射器の先端が袋を突き破り、使い物にならなくなることがあった。また、上記公報に記載されたような底部に緩衝機能を有した収納箱を利用する形態では、箱の構造が複雑で組立が面倒であるばかりか、袋に入れるタイプの注射器には使いづらいという問題がある。
【０００４】
本発明は、このような事情や問題点に鑑みてなされたものであり、その目的とするところは、収納した袋入り注射器を中で係止して安全に保持できるようにした包装箱を提供することにある。
【課題を解決するための手段】
【０００６】
請求項１に記載の発明である収納箱は、薬液を充填した注射器を袋に密封してなる袋入り注射器を収納するための収納箱であって、角筒状の胴部の一端に底部を有する細長形状をしており、注射器の先端からフランジに至る長さを距離αとした時に、底部から距離αよりも遠いところに、胴部を周回する状態でＶ字状に凹んで内側に突き出すことにより注射器のフランジを通さない係止部を形成するための屈曲部を有していることを特徴としている。
【０００７】
請求項２に記載の発明である収納箱は、請求項１に記載の収納箱において、胴部における底部と反対側に蓋部を設けたことを特徴としている。
【発明の効果】
【０００９】
請求項１に記載の発明である収納箱は、袋入り注射器を先端側から胴部の中に入れ、胴部を屈曲部の両側から押して縮ませると、屈曲部がＶ字状に凹んで内側に突き出ることで、注射器のフランジを通さない係止部が形成されるので、この縮んだ状態で屈曲部を固定することにより、先端が底部に当接しない状態で注射器が箱の中で保持されることになり、衝撃が加わっても袋が注射器の先端で破れるようなことがなく、安全に搬送することができる。
【００１０】
請求項２に記載の発明である収納箱は、胴部の反対側に蓋部を設けたので、上記の効果に加え、単体で取り扱っても袋の外面に埃等の異物が付着しにくくなり、衛生的に好ましいという効果を奏する。
【発明を実施するための最良の形態】
【００１１】
次に、本発明の実施の形態について図面を参照しながら詳細に説明する。
【００１２】
図１は本発明に係る収納箱の一例を袋入り注射器とともに示す斜視図、図２は図１の収納箱を形成するブランクの平面図である。
【００１３】
この収納箱Ａは、図１に示すように、注射器１を樹脂製の袋２に密封してなる袋入り注射器３を収納するために用いられる。注射器１は予め薬液を充填した使い捨てのものであり、樹脂製の袋２は、例えば、樹脂フィルムに必要に応じてバリア層を積層した包材を用いて通常のピロー袋、３方シール袋、４方シール袋などの形態としたもので、その包材の種類や袋の形態について特に限定はない。なお、薬剤の酸化防止をする場合は、酸素バリア性を有するバリア層を積層した包材からなる袋２の中に注射器１とともに脱酸素剤を入れるようにする。
【００１４】
収納箱Ａは、図２に示すブランクＢから組み立てられる。このブランクＢは、板紙を打ち抜いたもので、図示のように、折線ａ，ｂ，ｃ，ｄを介して糊代片１１、側面パネル１２，１３，１４，１５を順次連設している。
【００１５】
ブランクＢには、糊代片１１及び側面パネル１２，１３，１４，１５のすべてを横断するようにして３本の折線ｅ，ｆ，ｇが所定の等間隔で形成されている。これらの折線ｅ，ｆ，ｇは、その折曲げやすさを考慮して、側面パネル１２，１３，１４，１５では押し罫の途中に切込み線のあるリード罫で構成されており、糊代片１１では長い２つの切込みで構成されている。そして、糊代片１１に隣接する側面パネル１２では、それぞれ折線ａ，ｂ上で折線ｅ，ｇに挟まれた部分を底辺とし、折線ｆ上を頂点とする二等辺三角形の開口１２ａ，１２ｂが向かい合う状態で形成されており、同様に側面パネル１４では、それぞれ折線ｃ，ｄ上で折線ｅ，ｇに挟まれた部分を底辺とし、折線ｆ上を頂点とする二等辺三角形の開口１４ａ，１４ｂが向かい合う状態で形成されている。また、側面パネル１２，１４の上辺にはそれぞれ半円状の切欠１２ｃ，１４ｃが設けられている。
【００１６】
上記した３本の折線ｅ，ｆ，ｇは、収納箱Ａの胴部に内側に凹む屈曲部を形成するためものであり、この包装箱Ａにおいてはそれらを形成する部位に制約がある。すなわち、注射器１の先端からフランジ１ａに至る長さを距離αとすると、側面パネル１２，１３，１４，１５の下辺とこれに最も近い折線ｇとの間の長さＸはこの距離αよりも大きくなるようにしている。
【００１７】
また、側面パネル１２の下辺には折線ｈを介して外折込み片１６を連設し、側面パネル１３の下辺には折線ｉを介して内折込み片１７を連設し、側面パネル１４の下辺には折線ｊを介して外折込み片１８を連設し、側面パネル１５の下辺には折線ｋを介して内折込み片１９を連設しており、外折込み片１６の一部の三角形部分を折線ｌで折り返せる糊代部分１６ａとし、外折込み片１８の一部の三角形部分を折線ｍで折り返せる糊代部分１８ａとしている。なお、折線ｌ，ｍはリード罫になっている。
【００１８】
上記のブランクＢはサック貼りして供給される。すなわち、外折込み片１６を折線ｈで側面パネル１２の裏面側に折り返し、内折込み片１７を折線ｉで側面パネル１３の裏面側に折り返し、外折込み片１８を折線ｊで側面パネル１４の裏面側に折り返し、内折込み片１９を折線ｋで側面パネル１５の裏面側に折り返す。そして、その外折込み片１６の糊代部分１６ａを折線ｌで外側に折り返し、その外折込み片１８の糊代部分１８ａを折線ｍで外側に折り返す。
【００１９】
次に、側面パネル１２を折線ｂで側面パネル１３の裏面側に折り返し、側面パネル１５を折線ｄで側面パネル１４の裏面側に折り返し、糊代片１１と側面パネル１５の側縁部の裏面とを貼り合わせる。同時に、外折込み片１６の糊代部分１６ａと内折込み片１７とを貼り合わせ、外折込み片１８の糊代部分１８ａと内折込み片１９とを貼り合わせる。このようにしてブランクＢは折り畳まれてサック貼りした状態となり、この折り畳まれた状態で袋入り注射器を収納する箱詰め工程へと供給される。
【００２０】
箱詰め工程では、折り畳まれた状態のブランクＢを起こすが、底部がオートロック式になっているので、起こすと同時に図１のように収納箱Ａは底部が自動的に形成されて角筒状となる。このように角筒状の胴部の一端に底部を有する細長形状とした収納箱Ａの中に袋入り注射器３を入れる。この場合、図１に示すように、注射器１の先端側から箱に入れるようにする。次いで、このように袋入り注射器３を箱内に入れてから、胴部を屈曲部の両側から押して縮ませると、図３に示すように、屈曲部が折線ｅ，ｆ，ｇのところでＶ字状に凹んで内側に突き出ることで、注射器１のフランジ１ａを通さないストッパーとしての役目を果たす係止部Ｓが形成される。この時、折線ｅ，ｆ，ｇをリード罫としているので、両側から圧縮しただけで簡単に折り込むことができる。
【００２１】
そして、このように縮んだ状態の収納箱Ａを外箱に収納する。この場合、縮んだ状態を維持するサイズの外箱に複数個を並べて収納する。このように外箱内に収納することで、係止部Ｓによって先端が底部に当接しない状態で注射器１が収納箱Ａの中で保持されることになり、衝撃が加わっても袋２が注射器１の先端で破れるようなことがない。そして、使用時に際して外箱から取り出すと、屈曲部が自然と伸びて係止部Ｓが解除されるので、中の袋入り注射器３を簡単に取り出すことができる。なお、収納箱Ａにおける縮んだ屈曲部を外側からテープで止めるか、折り込まれる部分にホットメルトや糊を塗るなどして屈曲部が伸びないようにし、中の袋入り注射器３を取り出す時は少し力を入れて引っ張りだすようにすることも可能である。
【００２２】
図４は本発明に係る収納箱の別の例を袋入り注射器とともに示す斜視図、図５は図４の収納箱を形成するブランクの平面図である。
【００２３】
この収納箱Ａ’は、先に説明したのと同様、注射器１を樹脂製の袋２に密封してなる袋入り注射器３を収納するために用いられるものであり、胴部における底部と反対側に蓋部を設けた点だけが異なっている。
【００２４】
したがって、収納箱Ａ’を形成するブランクＢ’は、胴部における底部と反対側に蓋部を設けるために、側面パネル１２，１３，１４，１５の上辺側が異なっているだけで、基本的には図２のブランクＢと同じである。すなわち、側面パネル１２，１４の上辺から切欠１２ａ，１４ａをなくし、その代わりに、側面パネル１３，１４，１５の上辺にそれぞれ折線ｎ，ｏ，ｐを介してフラップパネル２０、蓋パネル２１、フラップパネル２２を連設し、蓋パネル２１の先端に折線ｑを介して差込みパネル２３を連設している。なお、それ以外の構成は同じであるので、同じ部位には同じ符号を付してある。
【００２５】
このブランクＢ’もサック貼りして供給され、折り畳まれた状態で袋入り注射器を収納する箱詰め工程へと供給される。箱詰め工程でも同様な手順で袋入り注射器３の収納が行われる。そして、収納箱Ａ’の中に袋入り注射器３を入れた後、両方のフラップパネル２０，２２内側に折り曲げてから、蓋パネル２１を折り曲げてその先端の差込みフラップ２３を側面パネル１２の先端裏側に差し込んで蓋をする。このように蓋をしてから、胴部を屈曲部の両側から押して縮ませ、図６に示すように、屈曲部を折線ｅ，ｆ，ｇのところでＶ字状に凹ませて内側に突き出させることで、注射器１のフランジ１ａを通さない係止部Ｓを形成する。
【００２６】
そして、このように縮んだ状態の収納箱Ａ’は、外箱に複数個収納してもよいし、単体で取り扱ってもよい。縮んだ状態を維持するサイズの外箱に収納する場合、先端が底部に当接しない状態で注射器１が収納箱Ａ’の中で保持されることになり、衝撃が加わっても袋２が注射器１の先端で破れるようなことがない。そして、使用時に際して外箱から取り出すと、屈曲部が自然と伸びるので、蓋パネル２１を開けて中の袋入り注射器３を取り出すことができる。また、収納箱Ａ’における縮んだ屈曲部を外側からテープで止めるか、折り込まれる部分にホットメルトや糊を塗るなどして屈曲部が伸びないようにし、中の袋入り注射器３を取り出す時は、蓋パネル２１を開けてから少し力を入れて引っ張りだすようにすることも可能である。
【００２７】
以上、本発明の実施の形態について詳細に説明してきたが、本発明による収納箱は、上記実施の形態に何ら限定されるものではなく、本発明の趣旨を逸脱しない範囲において種々の変更が可能であることは言うまでもない。
【００２８】
例えば、上記の例では、屈曲部を一箇所としたが、並べて二箇所、あるいはそれ以上設けるようにすることも可能である。
【００２９】
また、屈曲部を形成するための折線はリード罫に限るものではなく、Ｖ字状に凹ませることができさえすれば、単なる折罫でも構わない。
【００３０】
更に、底部はオートロックに限るものではなく、サック蓋あるいは糊貼り蓋のように蓋ができるものであれば任意の形態でよい。
【００３１】
更にまた、頂部に蓋を設ける場合はサック蓋に限るものではなく、ジッパー開封型、あるいは頂部は糊貼り蓋として頂部近辺の胴部に少なくとも３枚の側面パネルに連なるジッパーを設ける等、容易に開封できて注射器を取り出しやすいものであれば任意の形態を採ってよいものである。
【図面の簡単な説明】
【００３３】
【図１】本発明に係る収納箱の一例を袋入り注射器とともに示す斜視図である。
【図２】図１の収納箱を形成するブランクの平面図である。
【図３】図１の収納箱に袋入り注射器を収納して係止部を形成した状態で示す斜視図である。
【図４】本発明に係る収納箱の別の例を袋入り注射器とともに示す斜視図である。
【図５】図４の収納箱を形成するブランクの平面図である。
【図６】図４の収納箱に袋入り注射器を収納して係止部を形成した状態で示す斜視図である。
【符号の説明】
【００３４】
Ａ，Ａ’  収納箱
Ｂ，Ｂ’ブランク
Ｓ  係止部
ａ〜ｐ  折線
１  注射器
１ａ  フランジ
２  袋
３  袋入り注射器
１１  糊代片
１２  側面パネル
１２ａ，１２ｂ  開口
１２ｃ  切欠
１３  側面パネル
１４  側面パネル
１４ａ，１４ｂ  開口
１４ｃ  切欠
１５  側面パネル
１６  外折込み片
１６ａ  糊代部分
１７  内折込み片
１８  外折込み片
１８ａ  糊代部分
１９  内折込み片
２０  フラップパネル
２１  蓋パネル
２２  フラップパネル
２３  差込みパネル
【図１】
0004811789.tif 000002
【図２】
0004811789.tif 000003
【図３】
0004811789.tif 000004
【図４】
0004811789.tif 000005
【図５】
0004811789.tif 000006
【図６】
0004811789.tif 000007